(57)【要約】【課題】リニューアルのためにエレベータを利用できなくなる期間を短期間に抑えることができるエレベータのリニューアル方法を提供する。【解決手段】エレベータのリニューアル方法において、新規のエレベータ制御盤１ａを既存のエレベータ制御盤１と併設するステップと、新規のエレベータ制御盤１ａと既存のエレベータ制御盤１とをリニューアル用切替部６を介してエレベータ機器２〜５（２ａ〜５ａ）に接続するステップと、エレベータ機器２〜５（２ａ〜５ａ）が既存のエレベータ制御盤１又は新規のエレベータ制御盤１ａにより制御される切替位置にリニューアル用切替部６を切替えるステップと、新規のエレベータ制御盤１ａとエレベータ機器２ａ〜５ａとをリニューアル用切替部６を介さずに接続するステップとを備える。【選択図】    図２
2008081243.tif 000002
【特許請求の範囲】
【請求項１】
新規のエレベータ制御盤を既存のエレベータ制御盤と併設するステップと、
新規の前記エレベータ制御盤と既存の前記エレベータ制御盤とをリニューアル用切替部を介してエレベータ機器に接続するステップと、
前記エレベータ機器が既存の前記エレベータ制御盤又は新規の前記エレベータ制御盤により制御される切替位置に前記リニューアル用切替部を切替えるステップと、
新規の前記エレベータ制御盤と前記エレベータ機器とを前記リニューアル用切替部を介さずに接続するステップと、
を備えることを特徴とするエレベータのリニューアル方法。  
【請求項２】
新規の前記エレベータ制御盤は前記エレベータ機器に対応する機能部毎に複数設けられ、新規の前記エレベータ制御盤を各機能部毎に設置位置に搬送するステップを備えることを特徴とする請求項１記載のエレベータのリニューアル方法。
【発明の詳細な説明】
【技術分野】
【０００１】
本発明は、エレベータ制御盤やエレベータ機器等をリニューアルするためのエレベータのリニューアル方法に関する。
【背景技術】
【０００２】
例えば、下記特許文献１に記載されているように、エレベータのリニューアル方法が提案されている。
【０００３】
特許文献１に記載されているエレベータのリニューアル方法は、エレベータが複数台設置されている場合において、或るエレベータをリニューアルする場合に他のエレベータを利用可能にするという方法である。
【特許文献１】特開平８−１５１１７７号公報
【発明の開示】
【発明が解決しようとする課題】
【０００４】
しかしながら、前述のエレベータのリニューアル方法においては、以下のような問題点があった。
【０００５】
前述のエレベータのリニューアル方法は、一台のエレベータに着目すれば、既存のエレベータの全部又は一部を撤去し、撤去した場所にエレベータの全部又はエレベータの一部を新たに設置するものである。
【０００６】
このため、リニューアルの対象となるエレベータに関しては、長期間に亘って利用できなくなっている。
【０００７】
したがって、或る建物に設置されているエレベータが一台である場合において、そのエレベータをリニューアルする場合には長期間に亘ってエレベータを利用できなくなる。
【０００８】
本発明はこのような課題を解決するためになされたもので、その目的は、エレベータをリニューアルする場合において、リニューアルのためにエレベータを利用できなくなる期間を短期間に抑えることができるエレベータのリニューアル方法を提供することである。
【課題を解決するための手段】
【０００９】
本発明の実施の形態に係る第１の特徴は、エレベータのリニューアル方法において、新規のエレベータ制御盤を既存のエレベータ制御盤と併設するステップと、新規の前記エレベータ制御盤と既存の前記エレベータ制御盤とをリニューアル用切替部を介してエレベータ機器に接続するステップと、前記エレベータ機器が既存の前記エレベータ制御盤又は新規の前記エレベータ制御盤により制御される切替位置に前記リニューアル用切替部を切替えるステップと、新規の前記エレベータ制御盤と前記エレベータ機器とを前記リニューアル用切替部を介さずに接続するステップと、を備えることである。
【発明の効果】
【００１０】
本発明によれば、一部のエレベータ機器については新規なものに交換され、他のエレベータ機器については新規なものへの交換が終了していないリニューアル工事の途中であっても、新規のエレベータ制御盤と既存のエレベータ制御盤とを併用することによりエレベータの利用を継続することができる。
【発明を実施するための最良の形態】
【００１１】
以下、本発明の一実施の形態を図面を用いて説明する。
【００１２】
エレベータのリニューアルに際しては、エレベータのレールや三方枠を含めたエレベータ全体をリニューアルする場合と、レールや三方枠を残してエレベータ制御盤やエレベータ機器等をリニューアルする場合と、エレベータ制御盤や巻上機等の制御系のみをリニューアルする場合とがある。ここでは、レールや三方枠を残してエレベータ制御盤やその他のエレベータ機器をリニューアルする場合について説明する。また、リニューアルするエレベータ機器として、巻上機と、ホール呼び機構と、ドア開閉機構と、安全機構とを例に挙げて説明する。
【００１３】
リニューアルの対象となっているエレベータの機械室には、図１に示すように、既存のエレベータ制御盤１と、既存のエレベータ機器の一つである既存の巻上機２とが設けられている。エレベータ制御盤１には既存の巻上機２が接続され、さらに、エレベータ制御盤１には、エレベータ機器の一つである既存のホール呼び機構３と、エレベータ機器の一つである既存のドア開閉機構４と、エレベータ機器の一つである既存の安全機構５とが接続されている。
【００１４】
エレベータのリニューアルに際しては、図２に示すように、機械室内に新規のエレベータ制御盤１ａが設置され、新規のエレベータ制御盤１ａと既存のエレベータ制御盤１とが併設されている。さらに、新規のエレベータ制御盤１ａと既存のエレベータ制御盤１とにリニューアル用切替部６が接続されている。リニューアル用切替部６には、既存の巻上機２と、既存のホール呼び機構３と、既存のドア開閉機構４と、既存の安全機構５とが接続されている。これにより、既存のエレベータ制御盤１と新規のエレベータ制御盤１ａとに、リニューアル用切替部６を介して、既存の巻上機２と、既存のホール呼び機構３と、既存のドア開閉機構４と、既存の安全機構５とが接続されている。
【００１５】
リニューアル用切替部６には、複数の切替スイッチ７、８、９、１０が設けられている。スイッチ７は、既存の巻上機２（又は、新規の巻上機２ａ）を既存のエレベータ制御盤１で制御するか、又は、新規のエレベータ制御盤１ａで制御するかを切替えることができる。スイッチ８は、既存のホール呼び機構３（又は、新規のホール呼び機構３ａ）を既存のエレベータ制御盤１で制御するか、又は、新規のエレベータ制御盤１ａで制御するかを切替えることができる。スイッチ９は、既存のドア開閉機構４（又は、新規のドア開閉機構４ａ）を既存のエレベータ制御盤１で制御するか、又は、新規のエレベータ制御盤１ａで制御するかを切替えることができる。スイッチ１０は、既存の安全機構５（又は、新規の安全機構５ａ）を既存のエレベータ制御盤１で制御するか、又は、新規のエレベータ制御盤１ａで制御するかを切替えることができる。
【００１６】
新規のエレベータ制御盤１ａは、新規の各エレベータ機器２ａ〜５ａに対応する機能部１１、１２、１３、１４毎に複数設けられている。機能部１１は、新規の巻上機２ａを制御する機能を有する部分である。機能部１２は、新規のホール呼び機構３ａを制御する機能を有する部分である。機能部１３は、新規のドア開閉機構４ａを制御する機能を有する部分である。機能部１４は、新規の安全機構５ａを制御する機能を有する部分である。これらの機能部１１〜１４は、それぞれが機能的及び構造的に分離した状態で機械室内に搬送することが可能であり、機械室内で連結することが可能である。
【００１７】
このような構成において、新規のエレベータ制御盤１ａを機械室内に設置する場合には、個々の機能部１１〜１４毎に機械室内に搬送することが可能となるので、新規のエレベータ制御盤１ａを全体として揚重する大型の揚重装置が不要となる。このため、機械室内への新規のエレベータ制御盤１ａの設置作業を容易に行うことができる。
【００１８】
また、機械室内への新規のエレベータ制御盤１ａの設置に際しては、リニューアルの進捗状況に応じて、各機能部１１〜１４を順次機械室内へ搬送すればよい。例えば、各エレベータ機器２〜５のうち、最初にリニューアルするのがホール呼び機構３であるならば、新規のエレベータ制御盤１ａの一部である機能部１２のみを機械室に設置した状態でリニューアルを開始することが可能である。
【００１９】
図３は、リニューアルが進行し、既存のホール呼び機構３が新規のホール呼び機構３ａに交換され、既存のドア開閉機構４が新規のドア開閉機構４ａに交換され、安全装置５と巻上機２との交換は終了していない状態を表わしている。この場合において、スイッチ８、９は、新規のエレベータ制御部１ａにより制御される位置に切替えられ、スイッチ７、１０は既存のエレベータ制御部１により制御される位置に保持されている。
【００２０】
したがって、リニューアルが進行し、一部のエレベータ機器であるホール呼び機構３ａとドア開閉機構４ａとが新規のものに交換され、他のエレベータ機器である巻上機２と安全機構５については新規のものへの交換が終了していない状態であっても、交換された新規のホール呼び機構３ａと新規のドア開閉機構４ａとを新規のエレベータ制御盤１ａにより制御することができ、新規のものへの交換が終了していない既存の巻上機２と既存の安全機構５とを既存のエレベータ制御盤１により制御することができる。これにより、一部のエレベータ機器については新規のものに交換され、他のエレベータ機器については新規のものへの交換が終了していないリニューアル工事の途中であっても、新規のエレベータ制御盤１ａと既存のエレベータ制御盤１とを併用してエレベータの利用を継続させることができる。
【００２１】
このため、このエレベータのリニューアル方法によれば、リニューアルのためにエレベータを利用できない期間を、夜間等の限られた時間帯のみに限定し、リニューアル期間中の昼間等はエレベータを利用することが可能となる。
【００２２】
図４は、エレベータのリニューアルが終了した状態を示している。リニューアルが終了した場合には、既存のエレベータ制御盤１とリニューアル用切替部６とが取外され、新規のエレベータ機器２ａ〜５ａと新規のエレベータ制御盤１ａとがリニューアル用切替部６を介さずに接続されている。
【００２３】
なお、この実施の形態では、例に挙げた４つの既存のエレベータ機器２〜５を新規のエレベータ機器２ａ〜５ａに交換する場合について説明したが、既存のエレベータ機器２〜５の一部について、交換することなく継続して使用するという選択も可能である。
【図面の簡単な説明】
【００２４】
【図１】本発明の一実施の形態に係るエレベータの概略構造を示す模式図である。
【図２】エレベータのリニューアルのために新規のエレベータ制御盤とリニューアル用切替部とを設置した状態を示す模式図である。
【図３】エレベータのリニューアルの途中の状態を示す模式図である。
【図４】エレベータのリニューアルが終了した状態を示す模式図である。
【符号の説明】
【００２５】
１      既存のエレベータ制御盤
１ａ    新規のエレベータ制御盤
２、３、４、５  エレベータ機器
２ａ、３ａ、４ａ、５ａ  エレベータ機器
６      リニューアル用切替部
１１、１２、１３、１４  機能部
【図１】
2008081243.tif 000003
【図２】
2008081243.tif 000004
【図３】
2008081243.tif 000005
【図４】
2008081243.tif 000006